(57)【要約】【課題】ディスク情報の記録エリアに欠陥セクタがあるために、ディスク情報を読み込むことのできない光ディスクに対してもアクセス可能とし、上書き可能な光ディスクであればディスク情報の修復を可能とする。【解決手段】光ディスク１の再生時、ディスク情報記録エリアに書き込まれているディスク情報を光ピックアップ３によって読み込むことによりディスク情報を取得し、取得したディスク情報に基づいてデータエリアに記録されているデータの再生動作を行うシステムコントローラ１０を備えた光ディスク装置において、システムコントローラ１０は、ディスク情報の読み込みエラーが発生した場合に、データエリアに記録されている全データの読み込み処理を実行することによりディスク情報を生成し、生成したディスク情報をディスク情報記録エリアに再度書き込むことにより、ディスク情報を修復する。【選択図】  図１
2004288323.tif 000002
【特許請求の範囲】
【請求項１】
光ディスクの再生時、リードインエリア内のディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、
前記制御手段は、前記ディスク情報の読み込みエラーが発生した場合には、次に前記データエリアの最外周側の所定領域またはリードアウトエリアの所定領域から前記ディスク情報を読み込む処理を実行し、この処理においてディスク情報の読み込みエラーが発生した場合に初めて、前記データエリアに記録されている全データの読み込み処理を実行することによりディスク情報を生成し、生成したディスク情報を前記データエリアの最外周側の所定領域またはリードアウトエリアの所定領域に書き込んだ後、引き続いて前記データエリアの最外周側の所定領域または前記リードアウトエリアの所定領域を光ピックアップによって読み取ることにより、書き込んだディスク情報を取得し、取得したディスク情報に基づいて前記データエリアに記録されているデータの再生動作を行うことを特徴とする光ディスク装置。
【請求項２】
光ディスクの再生時、ディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、
前記制御手段は、前記ディスク情報の読み込みエラーが発生した場合に、前記データエリアに記録されている全データの読み込み処理を実行することによりディスク情報を生成し、生成したディスク情報を前記ディスク情報記録エリアに再度書き込むことを特徴とする光ディスク装置。
【請求項３】
前記制御手段は、生成したディスク情報を前記ディスク情報記録エリアに再度書き込んだ後、引き続いて前記ディスク情報記録エリアに書き込んだディスク情報を読み込むことによりディスク情報を取得し、取得したディスク情報に基づいてデータエリアに記録されているデータの再生動作を行うことを特徴とする請求項２に記載の光ディスク装置。
【請求項４】
前記ディスク情報記録エリアがディスク最内周側に設けられたリードインエリア内またはリードインエリアの内周側に設けられていることを特徴とする請求項１または請求項２に記載の光ディスク装置。
【請求項５】
光ディスクの再生時、リードインエリア内のディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、
前記制御手段は、前記ディスク情報の読み込みエラーが発生した場合に、前記データエリアに記録されている全データの読み込み処理を実行することによりディスク情報を生成し、生成したディスク情報を前記データエリアの最外周側の所定の空き領域またはリードアウトエリアの所定の空き領域に書き込むことを特徴とする光ディスク装置。
【請求項６】
光ディスクの再生時、リードインエリア内のディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、
前記制御手段は、前記ディスク情報の読み込みエラーが発生した場合には、次に前記データエリアの最外周側の所定領域またはリードアウトエリアの所定領域から前記ディスク情報を読み込む処理を実行し、この処理においてディスク情報の読み込みエラーが発生した場合に初めて、前記データエリアに記録されている全データの読み込み処理を実行することによりディスク情報を生成し、生成したディスク情報を前記データエリアの最外周側の所定領域またはリードアウトエリアの所定領域に書き込むことを特徴とする光ディスク装置。
【請求項７】
ディスク全体の情報であるディスク情報がリードインエリアのディスク情報記録エリアとリードアウトエリアのディスク情報記録エリアの双方に書き込まれた形式の光ディスクの再生時、前記リードインエリアのディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、
前記制御手段は、前記ディスク情報の読み込みエラーが発生した場合に、前記リードアウトエリアのデータ情報記録エリアに書き込まれているディスク情報を光ピックアップによって読み込むことによりディスク情報を取得し、取得したディスク情報に基づいてデータエリアに記録されているデータの再生動作を行うことを特徴とする光ディスク装置。
【請求項８】
前記制御手段は、前記リードアウトエリアのデータ情報記録エリアに書き込まれているディスク情報の読み込みエラーが発生した場合には、前記データエリアに記録されている全データの読み込み処理を実行することによりディスク情報を生成し、生成したディスク情報を前記ディスク情報記録エリアに再度書き込むことを特徴とする請求項７に記載の光ディスク装置。
【発明の詳細な説明】
【０００１】
【発明の属する技術分野】
本発明は、光ピックアップにより光ディスクに対してデータの記録及び再生を行うＣＤ−Ｒ／ＲＷ、ＤＶＤ＋Ｒ／ＲＷ、ＤＶＤ−Ｒ／ＲＷ等の追記型または書き換え型の光ディスク装置に関する。
【０００２】
【従来の技術】
従来より、光ディスク装置では、ＣＤ−Ｒ／ＲＷ、ＤＶＤ＋Ｒ／ＲＷ、ＤＶＤ−Ｒ／ＲＷなどの光ディスクにデータを記録するときに、そのデータ情報をディスク最内周側に設けられているリードインエリア内またはリードインエリアの内周側の所定の領域にディスク情報として記録している。
【０００３】
図５は、各種光ディスクのデータ記録レイアウトを概略的に示した説明図であり、（ａ）はＣＤ−Ｒ／ＲＷの記録レイアウト、（ｂ）はＤＶＤ−Ｒ／ＲＷの記録レイアウト、（ｃ）はＣＤ−ＲＯＭまたはＤＶＤ＋Ｒ／ＲＷの記録レイアウトである。
【０００４】
図５（ａ）に示すＣＤ−Ｒ／ＲＷでは、内周側からＰＣＡ（Ｐｏｗｅｒ  Ｃａｌｉｂｒａｔｉｏｎ  Ａｒｅａ）、ＰＭＡ（Ｐｒｏｇｒａｍ  Ｍｅｍｏｒｙ  Ａｒｅａ）、リードインエリア（Ｌｅａｄ−ｉｎ）、データエリア（Ｕｓｅｒ  Ｄａｔａ）、リードアウトエリア（Ｌｅａｄ−ｏｕｔ）となり、リードインエリアとデータエリアとリードアウトエリアとが１組となって、これがセッションの数だけ記録されている。また、図５（ｂ）に示すＤＶＤ−Ｒ／ＲＷでは、内周側からＰＣＡ（Ｐｏｗｅｒ  Ｃａｌｉｂｒａｔｉｏｎ  Ａｒｅａ）、ＲＭＡ（Ｒｅｃｏｒｄｉｎｇ  Ｍａｎａｇｅｍｅｎｔ  Ａｒｅａ）、リードインエリア（Ｌｅａｄ−ｉｎ）、データエリア（Ｕｓｅｒ  Ｄａｔａ）、リードアウトエリア（Ｌｅａｄ−ｏｕｔ）となり、リードインエリアとデータエリアとリードアウトエリアとが１組となって、これがセッションの数だけ記録されている。また、図５（ｃ）に示すＣＤ−ＲＯＭまたはＤＶＤ＋Ｒ／ＲＷでは、内周側からリードインエリア（Ｌｅａｄ−ｉｎ）、データエリア（Ｕｓｅｒ  Ｄａｔａ）、リードアウトエリア（Ｌｅａｄ−ｏｕｔ）となっている。
【０００５】
ディスク情報は、例えばＣＤ−Ｒ／ＲＷでは、図５（ａ）に示すＰＭＡに記録されており、ＤＶＤ−Ｒ／ＲＷでは図５（ｂ）に示すＲＭＡに記録されており、ＣＤ−ＲＯＭまたはＤＶＤ＋Ｒ／ＲＷでは図５（ｃ）に示すリードインエリアに記録されている。ただし、ＤＶＤ＋Ｒ／ＲＷではリードインエリア内のＩＤＩＺ（Ｉｎｎｅｒ  Ｄｉｓｃ  Ｉｄｅｎｔｉｆｉｃａｔｉｏｎ  Ｚｏｎｅ）に記録されている。また、ＤＶＤ＋Ｒ／ＲＷでは、リードインエリアのみならずリードアウトエリア内のＯＤＩＺ（Ｏｕｔｅｒ  Ｄｉｓｃ  Ｉｄｅｎｔｉｆｉｃａｔｉｏｎ  Ｚｏｎｅ）にも同様のディスク情報が記録されている。
【０００６】
このような光ディスクを再生するとき、光ディスク装置の制御手段は、まず最初にリードインエリア内またはリードインエリアの内周側（ＰＭＡやＲＭＡ）に書き込まれているディスク情報を光ピックアップによって読み込むことによりディスク情報を取得し、取得したディスク情報に基づいてデータエリアに記録されているデータの再生動作を行うようになっている。
【０００７】
この場合、リードインエリアの記録中にエラーが発生しても、ディスクを有効に復元して、リードインエリアの記録を可能とした技術が開示されている（例えば、特許文献１参照）。
【０００８】
【特許文献１】
特開２００２−２３０７７７号公報
【０００９】
【発明が解決しようとする課題】
しかしながら、上記特許文献１の技術は、あくまでリードインエリアの記録中にエラーが発生した場合の復元技術であり、リードインエリアの記録を終了し、再生動作を開始したときに、記録データの記録エリアに欠陥セクタ等があった場合には、これを修復することができないといった問題があった。
【００１０】
そのため、従来の光ディスク装置では、ディスク情報の記録エリアに欠陥セクタがあり、これが原因でディスク情報の読み込みエラーが発生した場合には、その時点でエラー処理が行われ、以後、その光ディスクを再生することができなかった。
【００１１】
本発明はかかる問題点を解決すべく創案されたもので、その目的は、ディスク情報の記録エリアに欠陥セクタがあるために、ディスク情報を読み込むことのできない光ディスクに対してもアクセス可能とし、上書き可能な光ディスクであればディスク情報の修復を可能とした光ディスク装置を提供することにある。
【００１２】
【課題を解決するための手段】
本発明の光ディスク装置は、光ディスクの再生時、ディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、前記制御手段は、前記ディスク情報の読み込みエラーが発生した場合に、前記データエリアに記録されている全データの読み込み処理を実行することによりディスク情報を生成し、生成したディスク情報を前記ディスク情報記録エリアに再度書き込むことを特徴とする。
【００１３】
ここで、前記ディスク情報記録エリアは、ディスク最内周側に設けられたリードインエリア内またはリードインエリアの内周側に設けられている。具体的に説明すると、光ディスクがＣＤ−Ｒ／ＲＷの場合には、リードインエリアの内周側に設けられているＰＭＡがディスク情報記録エリアであり、光ディスクがＤＶＤ−Ｒ／ＲＷの場合には、リードインエリアの内周側に設けられているＲＭＡがディスク情報記録エリアである。また、光ディスクがＣＤ−ＲＯＭまたはＤＶＤ＋Ｒ／ＲＷ及びＤＶＤ−ＲＯＭの場合には、リードインエリア内の所定の領域に設けられている。例えば、ＤＶＤ＋Ｒ／ＲＷでは、リードインエリア内のＩＤＩＺがディスク情報記録エリアである。
【００１４】
このような特徴を有する本発明によれば、ディスク情報の記録エリアに欠陥セクタがあるために、ディスク情報を読み込むことのできない光ディスクに対しても、新たにディスク情報を生成し直し、再度、ディスク情報記録エリアに書き込むことで、再びアクセス可能となる。
【００１５】
この場合、前記制御手段は、生成したディスク情報を前記ディスク情報記録エリアに再度書き込んだ後、引き続いて前記ディスク情報記録エリアに書き込んだディスク情報を読み込むことによりディスク情報を取得し、取得したディスク情報に基づいてデータエリアに記録されているデータの再生動作を行うようにしてもよい。このように、生成したディスク情報を再度書き込んだ後、引き続いて再生動作を行うことで、ユーザは、再生のためのキー操作を再度行わなくても、ディスク情報の修復後に自動的にデータ再生（音楽データであれば音楽の再生、映画データであれば映画の再生等）が行われることになる。
【００１６】
また、本発明の光ディスク装置は、光ディスクの再生時、リードインエリア内のディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、前記制御手段は、前記ディスク情報の読み込みエラーが発生した場合に、前記データエリアに記録されている全データの読み込み処理を実行することによりディスク情報を生成し、生成したディスク情報を前記データエリアの最外周側の所定の空き領域またはリードアウトエリアの所定の空き領域に書き込むことを特徴とする。
【００１７】
このような特徴を有する本発明によれば、ディスク情報の記録エリアに欠陥セクタがあるために、ディスク情報を読み込むことのできない光ディスクに対しても、新たにディスク情報を生成し直すことで、再びアクセス可能となる。この場合、元のディスク情報記録エリアの欠陥箇所が大きいために、再度書き込むことが不可能な場合であっても、本発明によれば、生成したディスク情報の書き込み場所を、データエリアの最外周側の所定の空き領域またはリードアウトエリアの所定の空き領域とすることで、生成したディスク情報を確実に書き込むことができる。
【００１８】
この場合、前記制御手段は、前記ディスク情報の読み込みエラーが発生した場合には、次に前記データエリアの最外周側の所定領域またはリードアウトエリアの所定領域から前記ディスク情報を読み込む処理を実行するように処理動作を設定（すなわち、プログラムを作成）する。そして、この処理動作においてディスク情報の読み込みエラーが発生した場合に初めて、前記データエリアに記録されている全データの読み込み処理を実行することによりディスク情報を生成し、生成したディスク情報を前記データエリアの最外周側の所定領域またはリードアウトエリアの所定領域に書き込むように制御動作を設定する。これにより、ディスク情報が、リードインエリア内またはリードインエリアの内周側に書き込まれている場合、及びデータエリアの最外周側の所定領域またはリードアウトエリアの所定領域に書き込まれている場合のいずれにも対応して、再生動作を行うことができる。
【００１９】
また、本発明の光ディスク装置は、ディスク全体の情報であるディスク情報がリードインエリアのディスク情報記録エリアとリードアウトのディスク情報記録エリアの双方に書き込まれた形式の光ディスクの再生時、前記リードインエリアのディスク情報記録エリアに書き込まれているディスク情報を光ピックアップによって読み込むことによりディスク情報を取得し、取得したディスク情報に基づいてデータエリアに記録されているデータの再生動作を行う制御手段を備えた光ディスク装置において、前記制御手段は、前記ディスク情報の読み込みエラーが発生した場合に、前記リードアウトエリアのデータ情報記録エリアに書き込まれているディスク情報を光ピックアップによって読み込むことによりディスク情報を取得し、取得したディスク情報に基づいてデータエリアに記録されているデータの再生動作を行うことを特徴とする。
【００２０】
すなわち、光ディスクがＤＶＤ＋Ｒ／ＲＷである場合には、ディスク情報がリードインエリアだけでなくリードアウトエリアにも最初から書き込まれている。従って、本発明の制御手段での制御動作は、この点に着目した制御動作となっている。すなわち、リードインエリアのディスク情報記録エリアに書き込まれているディスク情報の読み込みエラーが発生した場合には、引き続いてリードアウトエリアに記録されているディスク情報の読み込み処理を実行する。これにより、リードアウトエリアに記録されているディスク情報に欠陥がなければ、リードインエリアに記録されているディスク情報に欠陥があっても、データを再生することが可能となる。
【００２１】
この場合、前記制御手段は、前記リードアウトエリアのデータ情報記録エリアに書き込まれているディスク情報の読み込みにも失敗した場合に初めて、前記データエリアに記録されている全データの読み込み処理を実行することによりディスク情報を生成し、生成したディスク情報を前記ディスク情報記録エリアに再度書き込むように制御動作を設定する。これにより、ディスク情報がリードインエリア内の所定領域に書き込まれている場合、またはリードアウトエリアの所定領域に書き込まれている場合のいずれにも対応して、再生動作を行うことができる。
【００２２】
【発明の実施の形態】
以下、本発明の実施の形態について、図面を参照して説明する。
図１は、本発明の光ディスク装置のシステム構成図を示している。
【００２３】
光ディスク１にデータを書き込むとともに、書き込んだデータを読み取る光ピックアップ３の出力は、ＲＦアンプ５を介してディジタル信号処理回路７に接続されており、ディジタル信号処理回路７の出力は、光ピックアップ３によるデータの書き込み時及び読み出し時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらディジタル信号処理回路７及びサーボ処理回路９は、装置全体を制御するシステムコントローラ１０と双方向に接続されている。
【００２４】
また、ディジタル信号処理回路７には、光ディスク１から実際に読み取ったデータを一時的に蓄積するバッファとしてのＳＲＡＭ６が双方向に接続されている。また、システムコントローラ１０及びディジタル信号処理回路７には、図示しない上位のホストコンピュータとの接続を行うためのインターフェイスコントローラ（Ｉ／Ｆコントローラ）１２が双方向に接続された構成となっている。
【００２５】
また、システムコントローラ１０には、パワーキャリブレーションの実施結果である記録レーザパワーの最適値のデータなどを格納しておくための例えばＥＥＰＲＯＭ（フラッシュメモリ等でもよい）１１が接続されている。
【００２６】
ディジタル信号処理回路７は、ＥＦＭ変調及び復調や、ＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）による誤り訂正方式に従って、１６ビットの信号を８ビットづつに区切り、その８ビットを１４ビットに変換するといった処理等を行う。
【００２７】
システムコントローラ１０は、ディスク情報の読み込みエラーが発生した場合に、データエリアに記録されている全データの読み込み処理を実行することによりディスク情報を生成し、生成したディスク情報をディスク情報記録エリアに再度書き込む処理を実行する。
【００２８】
また、システムコントローラ１０は、ディスク情報の読み込みエラーが発生した場合に、データエリアに記録されている全データの読み込み処理を実行することによりディスク情報を生成し、生成したディスク情報をデータエリアの最外周側の所定の空き領域またはリードアウトエリアの所定の空き領域に書き込む処理を実行する。
【００２９】
また、システムコントローラ１０は、ディスク情報の読み込みエラーが発生した場合には、次にデータエリアの最外周側の所定領域またはリードアウトエリアの所定領域からディスク情報を読み込む処理を実行し、この処理においてディスク情報の読み込みエラーが発生した場合に初めて、データエリアに記録されている全データの読み込み処理を実行することによりディスク情報を生成し、生成したディスク情報をデータエリアの最外周側の所定領域またはリードアウトエリアの所定領域に書き込む処理を実行する。
【００３０】
さらに、システムコントローラ１０は、リードインエリアのデータ情報記録エリアに書き込まれているディスク情報の読み込みエラーが発生した場合に、リードアウトエリアのデータ情報記録エリアに書き込まれているディスク情報を光ピックアップによって読み込むことによりディスク情報を取得し、取得したディスク情報に基づいてデータエリアに記録されているデータの再生動作を行う処理を実行する。さらにまた、システムコントローラ１０は、リードアウトエリアのデータ情報記録エリアに書き込まれているディスク情報の読み込みにも失敗した場合に初めて、データエリアに記録されている全データの読み込み処理を実行することによりディスク情報を生成し、生成したディスク情報をディスク情報記録エリアに再度書き込む処理を実行する。
【００３１】
次に、上記構成の光ディスク装置において、ディスク再生時にリードインエリアまたはリードインエリアの内周側に書き込まれているディスク情報の読み込みエラーが発生した場合の各種処理動作の実施例について、図２ないし図４に示すフローチャートを参照して説明する。
【００３２】
＜実施例１＞
本実施例１では、生成したディスク情報を元のディスク情報記録エリアに上書きする場合について、図２に示すフローチャートを参照して説明する。
【００３３】
装着された光ディスク１の再生を開始すると、システムコントローラ１０は、光ピックアップ３をまず最初にディスク最内周側に移動させ、ディスク情報記録エリアにすでに書き込まれているディスク情報の読み込みを開始する（ステップＳ１）。ここで、ディスク情報記録エリアは、装着されている光ディスク１がＣＤ−Ｒ／ＲＷの場合には、リードインエリアの内周側に設けられているＰＭＡエリアであり、装着されている光ディスク１がＤＶＤ−Ｒ／ＲＷの場合には、リードインエリアの内周側に設けられているＲＭＡエリアである。また、装着されている光ディスク１がＣＤ−ＲＯＭまたはＤＶＤ＋Ｒ／ＲＷ及びＤＶＤ−ＲＯＭの場合には、リードインエリア内の所定領域であり、例えば、ＣＤ−ＲＯＭではＴＯＣエリア、ＤＶＤ＋Ｒ／ＲＷではＩＤＩＺエリアである。
【００３４】
ここで、例えばディスク情報記録エリアに欠陥セクタがあるために、ディスク情報の読み込みエラーが発生した場合（ステップＳ２でＹｅｓと判断された場合）、システムコントローラ１０は、次に光ピックアップ３をデータエリアに移動し、データエリアの最初からデータ読み込み処理を実行することにより（ステップＳ３）、ディスク情報を生成する（ステップＳ４）。そして、生成したディスク情報を、元のディスク情報記録エリアに上書きする形で書き込む（ステップＳ５）。これにより、ディスク情報が修復されることになる。
【００３５】
この後、システムコントローラ１０は、ステップＳ１に戻って、再びディスク情報記録エリアに書き込まれているディスク情報の読み込みを行う。この場合には、欠陥のあったディスク情報が修復されているので、ディスク情報の読み込みを行うことができるため（ステップＳ２でＹｅｓと判断されるため）、システムコントローラ１０は、従来通り、取得したディスク情報に基づいてデータの再生動作を開始する（ステップＳ６）。
【００３６】
＜実施例２＞
本実施例２では、生成したディスク情報を別のエリアに書き込む場合について、図３に示すフローチャートを参照して説明する。
【００３７】
装着された光ディスク１の再生を開始すると、システムコントローラ１０は、光ピックアップ３をまず最初にディスク最内周側に移動させ、ディスク情報記録エリアにすでに書き込まれているディスク情報の読み込みを開始する（ステップＳ１１）。
【００３８】
ここで、例えばディスク情報記録エリアに欠陥セクタがあるために、ディスク情報の読み込みエラーが発生した場合（ステップＳ１２でＹｅｓと判断された場合）、システムコントローラ１０は、次に光ピックアップ３をデータエリアの最外周側の所定領域またはリードアウトエリアの所定領域に移動させて、ディスク情報の読み込みを行う（ステップＳ１３）。この場合、ステップＳ１２で発生した読み込みエラーが最初の読み込みエラーであった場合には、データエリアの最外周側の所定領域またはリードアウトエリアの所定領域にまだディスク情報が書き込まれていないので、ディスク情報の読み込みエラーが発生する（ステップＳ１４でＹｅｓと判断される）ことになる。
【００３９】
従って、システムコントローラ１０は、この時点で光ピックアップ３をデータエリアに移動し、データエリアの最初からデータ読み込み処理を実行することにより（ステップＳ１５）、ディスク情報を生成する（ステップＳ１６）。そして、生成したディスク情報を、データエリアの最外周側の所定の空き領域またはリードアウトエリアの所定の空き領域に書き込む（ステップＳ１７）。これにより、元のエリアとは違うエリアにディスク情報が修復されることになる。
【００４０】
この後、システムコントローラ１０は、ステップＳ１１に戻って、再びディスク情報の読み込みを行う。この場合、ディスク最内周側のディスク情報記録エリアには欠陥セクタがあるため、ステップＳ１２での判断が再びＹｅｓとなるが、すでにディスク情報を修復しているため、ステップＳ１４ではＮｏと判断される。すなわち、データエリアの最外周側の所定領域またはリードアウトエリアの所定領域からディスク情報が読み込めるため、システムコントローラ１０は、従来通り、取得したディスク情報に基づいてデータの再生動作を開始する（ステップＳ１８）。
【００４１】
＜実施例３＞
本実施例３では、光ディスク１がＤＶＤ−Ｒ／ＲＷの場合の再生処理及びディスク情報の生成処理について、図４に示すフローチャートを参照して説明する。すなわち、本実施例３は、ＤＶＤ−Ｒ／ＲＷの規格上、同じディスク情報がリードインエリアとリードアウトエリアの両方に書き込まれている点に着目した実施例となっている。
【００４２】
装着された光ディスク１の再生を開始すると、システムコントローラ１０は、光ピックアップ３をまず最初にディスク最内周側に移動させ、ディスク情報記録エリアにすでに書き込まれているディスク情報の読み込みを開始する（ステップＳ２１）。
【００４３】
ここで、例えばディスク情報記録エリアに欠陥セクタがあるために、ディスク情報の読み込みエラーが発生した場合（ステップＳ２２でＹｅｓと判断された場合）、システムコントローラ１０は、次に光ピックアップ３をリードアウトエリアの所定領域（ディスク情報記録エリア）に移動させて、再度、ディスク情報の読み込みを行う（ステップＳ２３）。
【００４４】
ここで、リードアウトエリアのディスク情報記録エリアに書き込まれているディスク情報を取得した場合（ステップＳ２４でＮｏと判断された場合）には、従来通り、取得したディスク情報に基づいてデータの再生動作を開始する（ステップＳ２８）。
【００４５】
一方、リードアウトエリアのディスク情報記録エリアにも欠陥セクタがあるために、ディスク情報の読み込みエラーが発生した場合（ステップＳ２４でＹｅｓと判断された場合）には、システムコントローラ１０は、この時点で光ピックアップ３をデータエリアに移動し、データエリアの最初からデータ読み込み処理を実行することにより（ステップＳ２５）、ディスク情報を生成する（ステップＳ２６）。そして、生成したディスク情報を、リードインエリアの元のディスク情報記録エリアまたはリードアウトエリアの元のディスク情報記録エリアのいずれか一方または両方に書き込む（ステップＳ２７）。これにより、元のエリアにディスク情報が修復されることになる。
【００４６】
この後、システムコントローラ１０は、ステップＳ２１に戻って、再びディスク情報の読み込みを行う。この場合、ディスク情報がすでに修復されているので、リードインエリアのディスク情報記録エリアまたはリードアウトエリアのディスク情報記録エリアのいずれかの読み込みで、ディスク情報が取得できるため（すなわち、ステップＳ２２またはステップＳ２４のいずれかでＮｏと判断されるため）、システムコントローラ１０は、従来通り、取得したディスク情報に基づいてデータの再生動作を開始する（ステップＳ２８）。
【００４７】
なお、上記各実施例では、生成したディスク情報を光ディスク１の任意のエリアに書き込む場合について説明したが、書き込む場所は光ディスク１に限るものではなく、例えば図１に示す光ディスク装置のＥＥＰＲＯＭ１１にディスク固有の番号とともに記憶するようにしてもよい。そして、ディスク再生時に光ディスク１のディスク情報記録エリアに書き込まれているディスク情報の読み込みエラーが発生した場合には、ディスク固有の番号に基づいてＥＥＰＲＯＭ１１からディスク情報を読み込み、その後の再生動作を実行するようにしてもよい。
【００４８】
【発明の効果】
本発明によれば、ディスク情報の記録エリアに欠陥セクタがあるために、ディスク情報を読み込むことのできない光ディスクに対しても、新たにディスク情報を生成し直し、再度、ディスク情報記録エリアに書き込むことで、従来は不良として扱われていた光ディスクをアクセス可能に復元することができる。この場合、元のディスク情報記録エリアの欠陥箇所が大きいために、再度書き込むことが不可能な場合であっても、本発明によれば、生成したディスク情報の書き込み場所を、データエリアの最外周側の所定の空き領域またはリードアウトエリアの所定の空き領域とすることで、生成したディスク情報を確実に書き込むことができ、アクセス可能に復元することができる。
【００４９】
また、本発明によれば、リードインエリアのディスク情報記録エリアに書き込まれているディスク情報の読み込みエラーが発生した場合に、引き続いてリードアウトエリアに記録されているディスク情報の読み込み処理を実行する。これにより、リードアウトエリアに記録されているディスク情報に欠陥がなければ、リードインエリアに記録されているディスク情報に欠陥があっても、データを再生することが可能となる。
【図面の簡単な説明】
【図１】本発明の光ディスク装置のシステム構成を示すブロック図である。
【図２】本発明の光ディスク装置において、ディスク情報の読み込みエラーが発生した場合の実施例１の処理動作を説明するためのフローチャートである。
【図３】本発明の光ディスク装置において、ディスク情報の読み込みエラーが発生した場合の実施例２の処理動作を説明するためのフローチャートである。
【図４】本発明の光ディスク装置において、ディスク情報の読み込みエラーが発生した場合の実施例３の処理動作を説明するためのフローチャートである。
【図５】各種光ディスクの記録レイアウトを示す説明図である。
【符号の説明】
１  光ディスク
２  スピンドルモータ
３  光ピックアップ
４  フィードモータ
５  ＲＦアンプ
６  ＳＲＡＭ
７  ディジタル信号処理回路
８  レーザドライバ
９  サーボ処理回路
１０  システムコントローラ
１１  ＥＥＰＲＯＭ
１２  インターフェイスコントローラ（Ｉ／Ｆコントローラ）
【図１】
2004288323.tif 000003
【図２】
2004288323.tif 000004
【図３】
2004288323.tif 000005
【図４】
2004288323.tif 000006
【図５】
2004288323.tif 000007